(57)【特許請求の範囲】
【請求項１】
空調空気が供給される空調室内に、育苗トレイを収容する前面が開口した育苗室を有するベンチを設け、そのベンチの背面に、空調室内の空調空気を育苗室を通して吸引するドラフト室を設け、該育苗室の天井部に照明器具を設けると共にその照明器具直下に、光透過率が９０％以上で開孔率が４０％以上に形成されたスクリーンフィルタを設けて育苗室と仕切られた照明室を区画形成し、その照明室の背面をドラフト室に連通し、育苗室の背面に、ドラフト室に連通する多数のスリット孔を形成すると共に、そのスリット孔の幅を調整する気流調整板を設け、育苗室の前面から空調空気を育苗室に導入し、その育苗室内の空調空気をスリット孔と気流調整板を通してドラフト室に排気し、かつ、育苗室内に供給された空調空気の一部をスクリーンフィルタを通して照明室に導入すると共にその空調空気で照明器具を冷却した後ドラフト室に排気するようにしたことを特徴とする植物の環境装置。
【請求項２】
空調室内に通路を挟んでベンチが設けられ、その通路の上の空調室天井部に、空調空気の吹出口が通路に沿ってスリット状に設けられ、その給気口が高性能フィルタ、加湿器を介して空調機の吹込側に接続され、他方ベンチの頂部にドラフト室につながるレターンダクトが接続されると共にそのレターンダクトが空調機の吸込側に接続される請求項１記載の植物の環境装置。
【請求項３】
育苗室は、ベンチに上下多段に形成され、照明器具が取り付けられる各照明室の天井部は鏡面に形成される請求項１記載の植物の環境装置。
【請求項４】
最下段の育苗室の下部のベンチには、各育苗室やドラフト室内に流入した水を溜めるドレン溜めが形成される請求項３記載の植物の環境装置。
【請求項５】
スクリーンフィルタは、透明なポリエチレン繊維をメッシュ状に編んで形成され、光透過率が９０％以上で開孔率が４０％以上に形成される請求項１又は３記載の植物の環境装置。
【請求項６】
育苗室の背面には、スリット孔の幅を調整する気流調整板にて、育苗室内に流入する空調空気の流速が０．１〜１ｍ／ｓｅｃ、好ましくは０．１〜０．５ｍ／ｓｅｃに調整される請求項１又は３記載の植物の環境装置。
【請求項７】
上記育苗室を有するベンチの上部に上部育苗室を設け、その上部育苗室の天井部に照明器具を設けると共にその照明器具直下に透明板を設けて上部育苗室と仕切られた照明室を区画形成し、その照明室の背面をドラフト室に連通すると共に、照明室の前面側をレターンダクトに接続して各育苗室からドラフト室内に排気された空調空気を照明室を通して照明器具を冷却した後、レターンダクトに排気する請求項１記載の植物の環境装置。
【発明の詳細な説明】
【０００１】
【発明の属する技術分野】
本発明は、温湿度を制御して育苗したり、一定の環境の下、特定の種子を発芽させてその植物の特性などを観察するための植物の環境装置に関するものである。
【０００２】
【従来の技術】
特定の種子を発芽させ、これを育苗してその植物の特性を観測する際には、日照量や温湿度などの環境を一定にして行う必要がある。
【０００３】
従来の植物の環境装置は、発芽用など小型のものはあるが、大型のものは温室等で育苗するのが大部分である。
【０００４】
【発明が解決しようとする課題】
ところで、最近は遺伝子組み換え植物など、その植物の特性を正確に観察するには、これら植物を比較的大量に、しかも、照度、温湿度を一定に保って、植物を一定の環境で育苗させる必要がある。
【０００５】
通常、育苗に必要な照度は、育苗廻りで、最低１００００Ｌｕｘ以上必要であり、これを育苗する苗に均一に照射する必要がある。
【０００６】
しかしながら、照明器具自体発熱体であり、しかも、最低照度を保つには苗の直上に配置する必要があるため、室内を単純に空調したのでは、育苗廻りを設定した温湿度環境に保つには難しい問題がある。
【０００７】
また、照明器具からの熱の影響を考慮して育苗廻りに温湿度センサを配置し、その温湿度センサの検出値で、温湿度を制御することは可能であるが、育苗に対する適正な風速を無視して空調することとなり、適正環境下での育苗は期待できない。
【０００８】
そこで、本発明の目的は、上記課題を解決し、照度を保ちつつ温湿度を適正に保つことができる植物の環境装置を提供することにある。
【０００９】
【課題を解決するための手段】
上記目的を達成するために、請求項１の発明は、空調空気が供給される空調室内に、育苗トレイを収容する前面が開口した育苗室を有するベンチを設け、そのベンチの背面に、空調室内の空調空気を育苗室を通して吸引するドラフト室を設け、該育苗室の天井部に照明器具を設けると共にその照明器具直下に、光透過率が９０％以上で開孔率が４０％以上に形成されたスクリーンフィルタを設けて育苗室と仕切られた照明室を区画形成し、その照明室の背面をドラフト室に連通し、育苗室の背面に、ドラフト室に連通する多数のスリット孔を形成すると共に、そのスリット孔の幅を調整する気流調整板を設け、育苗室の前面から空調空気を育苗室に導入し、その育苗室内の空調空気をスリット孔と気流調整板を通してドラフト室に排気し、かつ、育苗室内に供給された空調空気の一部をスクリーンフィルタを通して照明室に導入すると共にその空調空気で照明器具を冷却した後ドラフト室に排気するようにした植物の環境装置である。
【００１０】
請求項２の発明は、空調室内に通路を挟んでベンチが設けられ、その通路の上の空調室天井部に、空調空気の吹出口が通路に沿ってスリット状に設けられ、その給気口が高性能フィルタ、加湿器を介して空調機の吹込側に接続され、他方ベンチの頂部にドラフト室につながるレターンダクトが接続されると共にそのレターンダクトが空調機の吸込側に接続される請求項１記載の植物の環境装置である。
【００１１】
請求項３の発明は、育苗室は、ベンチに上下多段に形成され、照明器具が取り付けられる各育苗室の天井部は鏡面に形成される請求項１記載の植物の環境装置である。
【００１２】
請求項４の発明は、最下段の育苗室の下部のベンチには、各育苗室やドラフト室内に流入した水を溜めるドレン溜めが形成される請求項３記載の植物の環境装置である。
【００１３】
請求項５の発明は、スクリーンフィルタは、透明なポリエチレン繊維をメッシュ状に編んで形成され、光透過率が９０％以上で開孔率が４０％以上に形成される請求項１又は３記載の植物の環境装置である。
【００１４】
請求項６の発明は、育苗室の背面には、ドラフト室に連通する多数のスリット孔が形成され、その背面にスリット孔の幅を調整する気流調整板が設けられ、育苗室内に流入する空調空気の流速が０．１〜１ｍ／ｓｅｃ、好ましくは０．１〜０．５ｍ／ｓｅｃに調整される請求項１又は３記載の植物の環境装置である。
【００１５】
請求項７の発明は、上記育苗室を有するベンチの上部に上部育苗室を設け、その上部育苗室の天井部に照明器具を設けると共にその照明器具直下に透明板を設けて上部育苗室と仕切られた照明室を区画形成し、その照明室の背面をドラフト室に連通すると共に、照明室の前面側をレターンダクトに接続して各育苗室からドラフト室内に排気された空調空気を照明室を通して照明器具を冷却した後、レターンダクトに排気する請求項１記載の植物の環境装置である。
【００１６】
【発明の実施の形態】
以下、本発明の好適実施の形態を添付図面に基づいて詳述する。
【００１７】
図１〜図３は、本発明の植物の環境装置の一実施の形態を示すもので、図１は平面図、図２はＡ−Ａ線断面図、図３はＢ−Ｂ線断面図である。
【００１８】
図１〜図３において、１０は、パネル１１で区画形成された空調室で、その空調室１０にオペレータＭの出入りのための開閉ドア１２が設けられる。
【００１９】
この開閉ドア１２に位置して空調室１０の中央に通路１３が形成され、その通路１３を挟んで、育苗室１４を有するベンチ１５が設けられる。
【００２０】
ベンチ１５は、前面が開口した箱形状に形成され、上下に育苗室１４を区画する棚１６が設けられると共に前面に適宜棚１６を支持する支柱１７が設けられる。
【００２１】
空調室１０の天井には、通路１３に沿ってスリット状の空調空気の吹出口１８が設けられる。
【００２２】
育苗室１４の棚１６上には、育苗すべき植物２０の育苗トレイ２１が前後にかつ長さ方向に多数載置される。
【００２３】
育苗すべき植物２０としては、キャベツ、大豆などの野菜や花物などの花卉に適している。
【００２４】
育苗室１４の背面には、空調室１０内の空調空気を育苗室１４を通して吸引するドラフト室２２が形成される。
【００２５】
この育苗室１４の背面壁２３には、育苗室１４とドラフト室２２を連通する多数の縦長のスリット孔２４が形成され、その背面壁２３に、スリット孔２４の幅を調整する気流調整板２５が設けられる。
【００２６】
育苗室１４の天井部２６には、多数の蛍光灯からなる照明器具２７が設けられ、その照明器具２７の直下にスクリーンフィルタ２８が設けられて、照明室３０を区画される。
【００２７】
天井部２６は、照明器具２７からの光を育苗室１４側に反射するようにステンレス板等で鏡面状に形成される。
【００２８】
スクリーンフィルタ２８は、透明なポリエチレン等の繊維をメッシュ状（約３００ｍｅｓｈ）に編んで形成されたもので、光透過率が９０％以上で、開孔率が４０％以上に形成されている。
【００２９】
照明器具２７は、育苗室１４内の植物２０に対して、照度が１００００Ｌｕｘ以上で、照明するように、蛍光灯等の本数が設定され、また育苗すべき植物によって、例えば春夏秋冬に応じた照度に変えられるようになっている。
【００３０】
この照明室３０の背面には、育苗室１３と同様にスリット孔３１とそのスリット孔の幅を調整する気流調整板３２が設けられる。
【００３１】
育苗室１３内の空気は、スクリーンフィルタ２８を通して照明室３０に導入され、この空気で照明器具２７が冷却され、気流調整板３２を通してドラフト室２２に排気される。
【００３２】
ベンチ１５の底部には、ドラフト室２２に流入し、落下した水分等のドレン溜め部３３が形成され、その前面にドレン水を排出するドレン排出管３４が接続される。
【００３３】
ベンチ１５の頂部には、レターンダクト３５が接続される。レターンダクト３５は、空調室１０の外側に設置した空調機３６の空気吸込側に接続され、空調機３６の吹出側が、加湿器３７、ＨＰＡフィルタ等からなる高性能フィルタ３８を介して給気ライン３９にて吹出口１８に接続される。
【００３４】
次に本発明の作用を説明する。
【００３５】
空調室１０内のベンチ１５内の育苗室１４に育苗すべき植物２０の育苗トレイ２１を収容し、その植物２０の育苗条件に応じて温度、湿度、照度、照明時間を適宜設定する。
【００３６】
今、温度を２３℃、湿度を７０％、照度を１２０００Ｌｕｘ、照明時間を１２時間として育苗するとする。
【００３７】
吹出口１８から吹き出された空調空気は、図１に示すように間隔をおいて、或いは吹出口１８から均一に吹き出され、その空調空気がベンチ１５の各育苗室１４に矢印に示したように流入し、育苗室１４を通過し気流調整板２５にてドラフト室２２に吸い込まれると共に一部はスクリーンフィルタ２８を通して照明室３０内に流入し、照明器具２７の発熱を抑え、気流調整板３２を通してドラフト室２２に吸い込まれる。
【００３８】
この際、育苗室１４内に流入する空調空気の流速が０．１〜１ｍ／ｓｅｃ、好ましくは０．１〜０．５ｍ／ｓｅｃになるように、気流調整板２５にてスリット孔２４の幅を調整することで、植物２０に最適な風速とすることができる。
【００３９】
また照明器具２７による照明は、天井部２６が鏡面に形成され、光の大半をスクリーンフィルタ２８を通して植物２０に効率よく照度１２０００Ｌｕｘで、均一に照射できると共に照明器具２７が発熱しても、スクリーンフィルタ２８を通して空調空気が流入し、その熱をドラフト室２２に逃がすため、発熱による影響を無くすことができる。
【００４０】
ドラフト室２２に流入した空気は、ベンチ１５の頂部のレターンダクト３５から空調機３６に吸い込まれ、そこで設定温度に冷却されたのち、加湿器３８で、設定湿度に加湿され、高性能フィルタ３８で、空調空気中の微粒子分が除去されて吹出口１８から吹き出される。この際、詳細は図示していないが、空調機３６の吸込側に外気導入ラインと吹出側に排気ラインを設けて空調室１０内を適宜換気するように構成する。
【００４１】
以上のように、各段の育苗室１４で植物２０は、温度、湿度、照度、照明時間が常に一定の環境で育苗することが可能となり、植物２０の育苗特性を再現性良く観察することが可能となる。また、空調空気は、植物２０に対して０．２ｍ／ｓｅｃと微風で常に一方向に流しているため、滞留することがなく、他の隣接する植物２０に影響を与えることもない。
【００４２】
また、育苗中に植物２０への散水は、オペレータＭが行うが、オペレータＭによる散水の個人差があるため、空調空気の湿度を高めることで、散水回数を極力最小限とすることができる。さらに、散水は、散水管を育苗室１４にそれぞれ設けて、各育苗トレイ２１に定量灌水するように構成してもよい。
【００４３】
尚、散水した水の一部は、気流に乗ってドラフト室２２に流入し、落下するがベンチ１５の底部にドレン溜め３３に溜めることができ、これをドレン管３４から抜き取ることで、カビ等微生物の繁殖を防止できる。
【００４４】
図４〜図６は、本発明の他の実施の形態を示すもので、図４は平面図、図５は図４のＣ−Ｃ断面図、図６は図４のＤ−Ｄ断面図を示している。
【００４５】
本実施の形態は、基本的には、図１〜図３で説明した実施の形態と同じであるが、育苗する植物によっては、その特性を観察するには数ヶ月以上を必要とするのも、例えば、苗木などや育苗中に、その高さが高くなる植物の育苗に適用したものである。
【００４６】
図において、空調室１０ａには、スライド式の扉１２ａが設けられ、通路１３を挟んでベンチ１５が設けられる。
【００４７】
このベンチ１５には、下部には、図１〜図３で説明した育苗室１４が形成され、上部には、下部の育苗室１４で育苗した植物２０ａを移し換えて、さらに育苗するための上部育苗室１４ａが形成される。
【００４８】
上部育苗室１４ａは、下部の育苗室１４で育苗した植物２０ａを、移して、さらに育苗するため、その高さＨが、下部の育苗室１４より十分高く形成される。
【００４９】
このように、上部の育苗室１４ａの高さＨが高くなると、下部の育苗室１４の天井部２６に設けた蛍光灯等の照明器具２７では、距離の関係で照度１００００Ｌｕｘ以上が得られないため、太陽光のようにスペクトル分布を調和させたメタルハライドランプからなる照明器具２７ａを用いる。
【００５０】
この照明器具２７ａの直下には、ガラス板等の透明板４２を設けて照明室３０ａを区画し、その照明室３０の天井部２６ａを鏡面状に形成しておく。
【００５１】
照明器具２７ａの冷却は、ドラフト室２２に流入した空気を、直接照明室３０ａに通し、これを照明室３０ａの前部に形成した排気口４４を介して照明室３０ａの上部の排気室４５に流し、その排気室４５よりレターンダクト３５より空調機３６（図３参照）に吸い込まれ、温度調整、湿度調整、除塵されたのち、吹出口１８から吹き出される。
【００５２】
また、上部の育苗室１４ａは、高さＨが高いため、スリット孔２４ａを上下二段にし、気流調整板２５ａもそれに合わせて上下二段とする。
【００５３】
尚、上部の育苗室１４ａ内の植物２０ａの成長に応じて、メタルハライドランプからなる照明器具２７ａにより近づくため、成長に合わせて照明器具２７ａの照度を適宜変更するようにする。
【００５４】
この図４〜図６の実施の形態でも、下部の育苗室１４では、スクリーンフィルタ２８を通して空調空気が照明室３０内に流入してその照明器具２７の発熱による影響を無くしながら、その育苗室１４内の植物２０ａに温湿度と風速調整された空調空気を供給することができる。
【００５５】
また、下部の育苗室１４で、ある程度の高さまで成長したならば上部の育苗室１４ａに移し、同様の環境下で育苗することができる。
【００５６】
この場合、照明器具２７ａの照明室３０ａには、ドラフト室２２に流入した空気が直接導入されて、照明器具２７ａが冷却され、その後、排気口４４を介して上部の排気室４５を介してレターンダクト３５に流れることとなる。
【００５７】
このように、上部の育苗室１４ａの照明器具２７ａが発熱してもドラフト室２２の空気を照明室３０ａに流して冷却し、これを排気室４５よりレターンダクト３５を介して空調機３６に流して空調することで、発熱の影響を無くすことができる。
【００５８】
【発明の効果】
以上要するに本発明によれば、照明器具からの発熱の影響を受けることなく、温湿度と照度を適正に保ちながら植物を一定の環境に保って育苗することが可能となる。
【図面の簡単な説明】
【図１】本発明の一実施の形態を示す平面図である。
【図２】図１のＡ−Ａ線断面図である。
【図３】図１のＢ−Ｂ線断面図である。
【図４】本発明の他の実施の形態を示す平面図である。
【図５】図４のＣ−Ｃ線断面図である。
【図６】図４のＤ−Ｄ線断面図である。
【符号の説明】
１０  空調室
１４  育苗室
１５  ベンチ
２１  育苗トレイ
２２  ドラフト室
２６  天井部
２７  照明器具
２８  スクリーンフィルタ
３０  照明室
【図１】
0004169925.tif 000002
【図２】
0004169925.tif 000003
【図３】
0004169925.tif 000004
【図４】
0004169925.tif 000005
【図５】
0004169925.tif 000006
【図６】
0004169925.tif 000007